(57)【要約】      （修正有）【課題】指示ランプの提供。【解決手段】ランプシート１とランプシートに固着された指示ユニット２を包含し、該ランプシートの周壁が画定する内部空間に回路装置が収容され、回路装置が発光体に接続され、該指示ユニットが導光板２１を包含し、導光板の後側面に背板２２が設けられ、別に導光板の前側面に指示板２３が設けられ、該指示板と導光板の間に拡散板２４と少なくとも一つの偏光板２６が設けられ、該偏光板の表面に複数の溝２５１が形成され、該溝の溝壁が形成する光線反射と集中集束作用により、集光目的を達成し、確実に指示板への照射光線の輝度と均一度を高めることができる。【選択図】図２
0003113287.tif 000002
【実用新案登録請求の範囲】
【請求項１】
ランプシートとランプシートに固着された指示ユニットを包含し、該ランプシートの周壁が画定する内部空間に回路装置が収容され、回路装置が発光体に接続され、該指示ユニットが導光板を包含し、導光板の後側面に背板が設けられ、別に導光板の前側面に指示板が設けられた指示ランプにおいて、
該指示板と導光板の間に拡散板と少なくとも一つの偏光板が設けられ、該偏光板の表面に複数の溝が形成され、該溝の溝壁が形成する光線の反射と集束により、集光を達成し、照明の輝度と均一度を高めたことを特徴とする、指示ランプ。
【請求項２】
請求項１記載の指示ランプにおいて、指示板と導光板の間に別の偏光板が設けられ、且つ偏光板の溝が縦向きに設けられ、別の偏光板の溝が横向きに形成され、網状格子を形成したことを特徴とする、指示ランプ。
【請求項３】
請求項１記載の指示ランプにおいて、指示板と導光板の間に拡散板が設けられたことを特徴とする、指示ランプ。
【考案の詳細な説明】
【技術分野】
【０００１】
本考案は一種の指示ランプに係り、特に照射の輝度と均一度を高める構造を有する指示ランプに関する。
【背景技術】
【０００２】
一般に公共の場所の壁の高い位置或いは目につきやすい所には各種の異なる機能の指示ランプ（避難指示ランプ、化粧室位置指示ランプ等）が固定され、人員の遵守する方向を提示するのに用いられている。
【０００３】
従来の技術には、例えば特許文献１のように、指示ランプの集光構造と名付けたものがあるが、実際には数片の反射部が本体周縁に設けられ、単純に発光体が発射した光線を反射するだけであり、その光線は減衰し、且つ全体の照射は均一度を具備せず、このため火事の避難時或いはその他の事故が発生した時に、適時に正確な方向を表示して人員を避難させることができない。
【０００４】
【特許文献１】台湾実用新案公告第４６００１５号明細書
【考案の開示】
【考案が解決しようとする課題】
【０００５】
従来の技術の問題を鑑み、本考案は一種の指示ランプを提供し、それは、偏光板の形成する光線反射と集中集束の作用により、確実に照明の輝度を増すと共に均一度を高めた指示ランプであるものとする。
【０００６】
上述の目的を達成するための技術的手段として、本考案は、ランプシートとランプシートに固着された指示ユニットを包含し、該ランプシートの周壁が画定する内部空間に回路装置が収容され、回路装置が発光体に接続され、該指示ユニットが導光板を包含し、導光板の後側面に背板が設けられ、別に導光板の前側面に指示板が設けられ、特に、該指示板と導光板の間に拡散板と少なくとも一つの偏光板が設けられ、該偏光板の表面に複数の溝が形成され、発光体の公園が偏光板の溝を通過する時、該溝の壁面に反射されて集中、集束され、集光の作用を達成し、これにより指示板に投射される光線の輝度と均一度を確実に高めることができるものとされる。
【課題を解決するための手段】
【０００７】
請求項１の考案は、ランプシートとランプシートに固着された指示ユニットを包含し、該ランプシートの周壁が画定する内部空間に回路装置が収容され、回路装置が発光体に接続され、該指示ユニットが導光板を包含し、導光板の後側面に背板が設けられ、別に導光板の前側面に指示板が設けられた指示ランプにおいて、
該指示板と導光板の間に拡散板と少なくとも一つの偏光板が設けられ、該偏光板の表面に複数の溝が形成され、該溝の溝壁が形成する光線の反射と集束により、集光を達成し、照明の輝度と均一度を高めたことを特徴とする、指示ランプとしている。
請求項２の考案は、請求項１記載の指示ランプにおいて、指示板と導光板の間に別の偏光板が設けられ、且つ偏光板の溝が縦向きに設けられ、別の偏光板の溝が横向きに形成され、網状格子を形成したことを特徴とする、指示ランプとしている。
請求項３の考案は、請求項１記載の指示ランプにおいて、指示板と導光板の間に拡散板が設けられたことを特徴とする、指示ランプとしている。
【考案の効果】
【０００８】
本考案は以下のような効果を有する。
１．少なくとも一つの偏光板で確実且つ有効に指示ランプの全体輝度と均一度を高め、人の注目を集めて方向指示を行い、十分に進歩性を有する。
２．偏光板の断面の幅は極めて小さく、ゆえに指示ユニットの全体の幅及び体積を増すことがない。
３．本考案の実施例において偏光板の側面に別の偏光板が重ね合わされ、これにより光線に対してプリズム作用を形成し、集光の作用を達成し、最終的に指示板に投射される時の全体輝度を確実に高める。
【考案を実施するための最良の形態】
【０００９】
図１、及び図２〜図３を併せて参照されたい。本考案の指示ランプは、
ランプシート１であって、その周壁が画定する内部空間に発光装置１１及び回路装置（図示せず）が収容された、上記ランプシート１と、
指示ユニット２であって、ランプシート１の横長辺に嵌合され、並びに発光体１１の下方（図２参照。）或いは前方（図３参照。図中、発光体１１はランプシート１内に内蔵されている）或いは側方に対応し、該指示ユニット２は、導光板２１、背板２２、指示板２３、拡散板２４、及び少なくとも一つの偏光板２５を包含し、該導光板２１は光線を案内する透明板体とされ、その後側面に導光凸部２１１が配設され、該導光凸部２１１が複数の凸点或いは凸線條とされ、該背板２２は導光板２１の後側面に設けられた板体とされて導光板２１の側面或いは反射面に対向し、該指示板２３は導光板２１の前方に位置する板体とされてその表面に指示用の図形文字部２３１が設けられ、該拡散板２４は導光板２１と指示板２３間に設けられた薄膜とされ、該少なくとも一つの偏光板２５は指示板２３と導光板２１前側の拡散板２４の間に設けられると共に表面に複数の溝２５１が形成された、上記指示ユニット２と、
を包含する。
【００１０】
図１に図２、及び図４を併せて参照されたい。本考案の発光体１１が発射する光線が指示ユニット２の導光板２１に進入する時、導光板２１の導光凸部２１１と背板２２による屈折を経て、拡散板２４に導入され、該拡散板２４は導光板２１からの光線を均一に全エリア照明となるよう拡散し、拡散板２４により拡散後の光線が偏光板２５に至る時、偏光板２５の溝２５１を通過し並びに溝２５１の溝壁でもともと放射状を呈していた光線が反射され、集中集束状態を現出し、これによ光線の集中交錯部分に比較的強い照射が形成され、最後に指示板２３に投射される時の全体の輝度が確実に高められる。
【００１１】
図５に示されるように、本考案の更なる実施例では、偏光板２５の側面に偏光板２６が重ねて設けられ、偏光板２５の溝２５１が縦向きとされ、もう一つの偏光板２６の表面に複数の横向きの溝２６１が形成されている。
【００１２】
図６に示されるように、偏光板２５と偏光板２６が相互に重畳する状態を形成し、これにより溝２５１と溝２６１が相互に網状格子２８を形成し、この網状格子２８の周壁２７が光線の停滞を形成し、これにより光線が各周壁２７に入射する時、前向きに屈折されてプリズム作用を形成し、集光の作用を達成し、最後に指示板２３に投射される時に全体の輝度が確実に高められる。
【図面の簡単な説明】
【００１３】
【図１】本考案の立体図である。
【図２】本考案の立体分解図である。
【図３】本考案の別の実施例の立体図である。
【図４】本考案の光線投射拡大表示図である。
【図５】本考案の別の実施例の立体分解図である。
【図６】本考案の別の光線投射拡大表示図である。
【符号の説明】
【００１４】
１  ランプシート
１１  発光体
２  指示ユニット
２１  導光板
２１１  導光凸部
２２  背板
２３  指示板
２３１  図形文字部
２４  拡散板
２５  偏光板
２５１  溝
２６  偏光板
２６１  溝
２７  周壁
２８  網状格子
【図１】
0003113287.tif 000003
【図２】
0003113287.tif 000004
【図３】
0003113287.tif 000005
【図４】
0003113287.tif 000006
【図５】
0003113287.tif 000007
【図６】
0003113287.tif 000008